(57)【要約】【課題】  容易にジャンパ線を仮保管できるようにする。【解決手段】  送電線１０４を把持する把持部２５、３２と、ジャンパ線１０１の端子２０１が掛けられることでジャンパ線１０１を保持する保持部２３と、を備え、保持部２３でジャンパ線１０１を保持した状態で、ジャンパ線１０１の端子２０１が送電線１０４に隣接するように把持部２５、３２と保持部２３とが設けられている。【選択図】  図１
2014222999.tif 000002
【特許請求の範囲】
【請求項１】
架空送電線路のジャンパ線を仮保管するためのジャンパ線仮保管具であって、
送電線を把持する把持部と、
前記ジャンパ線の端子が掛けられることで前記ジャンパ線を保持する保持部と、
を備え、
前記保持部で前記ジャンパ線を保持した状態で、前記ジャンパ線の端子が前記送電線に隣接するように前記把持部と前記保持部とが設けられている、
ことを特徴とするジャンパ線仮保管具。
【請求項２】
架空送電線路のジャンパ線を仮保管するためのジャンパ線仮保管具であって、
送電鉄塔の鉄塔部材を把持する把持部と、
前記ジャンパ線の端子が掛けられることで前記ジャンパ線を保持する保持部と、
を備え、
前記保持部で前記ジャンパ線を保持した状態で、前記ジャンパ線の端子が前記鉄塔部材に隣接するように前記把持部と前記保持部とが設けられている、
ことを特徴とするジャンパ線仮保管具。
【請求項３】
請求項１に記載のジャンパ線仮保管具を用いたジャンパ線仮保管方法であって、
前記把持部で送電線を把持し、
前記保持部に前記ジャンパ線の端子を掛けて前記ジャンパ線を保持する、
ことを特徴とするジャンパ線仮保管方法。
【請求項４】
請求項２に記載のジャンパ線仮保管具を用いたジャンパ線仮保管方法であって、
前記把持部で送電鉄塔の鉄塔部材を把持し、
前記保持部に前記ジャンパ線の端子を掛けて前記ジャンパ線を保持する、
ことを特徴とするジャンパ線仮保管方法。
【発明の詳細な説明】
【技術分野】
【０００１】
この発明は、架空送電線路のジャンパ線を仮保管するためのジャンパ線仮保管具および、このジャンパ線仮保管具を用いたジャンパ線仮保管方法に関する。
【背景技術】
【０００２】
長時間停電を伴う設備故障箇所の系統分離や、工事における停電時間の短縮化など、系統運用の安定化、信頼度を向上させるために、架空送電線路には、ジャンパ開閉装置が設けられている。このジャンパ開閉装置のジャンパ線の取り外し（開放）が必要になった場合、開放時間が短期間の場合には、ロープでジャンパ線を送電鉄塔の部材に固定し、開放時間が長期間の場合には、ジャンパ線を事務所や倉庫などに保管している。
【０００３】
しかしながら、ロープでジャンパ線を送電鉄塔の部材に固定する場合、ロープの劣化による断線や、風雨によるロープの緩みなどによって、ジャンパ線が落下し、ジャンパ線が損傷、破断するおそれがある。しかも、充電部の上方でジャンパ線を固定する場合、落下時にジャンパ線が充電部に接触して停電するおそれがある。一方、ジャンパ線を事務所や倉庫などに保管する場合、送電鉄塔上でジャンパ線を上げ下ろししなければならず、労力と時間とを要する。このため、緊急復旧などでジャンパ線を取り付ける場合、取付に時間を要し、停電時間に影響を与えてしまう場合がある。
【０００４】
一方、送電鉄塔の腕金に取り付けた絶縁吊り材でジャンパ線の中央部を吊ることで、ジャンパ装置の開放作業を容易かつ迅速に行える、という系統分断方法が知られている（例えば、特許文献１参照。）。この系統分断方法では、ワイヤの一端に取り付けられたグリップでジャンパ線を把持し、ワイヤの他端に取り付けられたフックを絶縁吊り材に引っ掛けることで、ジャンパ線を仮保持するものである。
【先行技術文献】
【特許文献】
【０００５】
【特許文献１】特開２０００−２３６６１７号公報
【発明の概要】
【発明が解決しようとする課題】
【０００６】
ところで、特許文献１の系統分断方法では、送電鉄塔の腕金に絶縁吊り材を取り付けてジャンパ線を吊らなければならず、設備の改修が必要で大掛かりとなる。また、ジャンパ線を仮保持するにも絶縁吊り材を要する。
【０００７】
そこでこの発明は、容易にジャンパ線を仮保管することが可能な、ジャンパ線仮保管具およびジャンパ線仮保管方法を提供することを目的とする。
【課題を解決するための手段】
【０００８】
上記課題を解決するために、請求項１に記載の発明は、架空送電線路のジャンパ線を仮保管するためのジャンパ線仮保管具であって、送電線を把持する把持部と、前記ジャンパ線の端子が掛けられることで前記ジャンパ線を保持する保持部と、を備え、前記保持部で前記ジャンパ線を保持した状態で、前記ジャンパ線の端子が前記送電線に隣接するように前記把持部と前記保持部とが設けられている、ことを特徴とする。
【０００９】
この発明によれば、把持部で送電線を把持し、保持部にジャンパ線の端子を掛けてジャンパ線を保持する。このようにしてジャンパ線を保持した状態では、ジャンパ線の端子が送電線に隣接する。
【００１０】
請求項２に記載の発明は、架空送電線路のジャンパ線を仮保管するためのジャンパ線仮保管具であって、送電鉄塔の鉄塔部材を把持する把持部と、前記ジャンパ線の端子が掛けられることで前記ジャンパ線を保持する保持部と、を備え、前記保持部で前記ジャンパ線を保持した状態で、前記ジャンパ線の端子が前記鉄塔部材に隣接するように前記把持部と前記保持部とが設けられている、ことを特徴とする。
【００１１】
この発明によれば、把持部で送電鉄塔の鉄塔部材を把持し、保持部にジャンパ線の端子を掛けてジャンパ線を保持する。このようにしてジャンパ線を保持した状態では、ジャンパ線の端子が鉄塔部材に隣接する。
【００１２】
請求項３に記載の発明は、請求項１に記載のジャンパ線仮保管具を用いたジャンパ線仮保管方法であって、前記把持部で送電線を把持し、前記保持部に前記ジャンパ線の端子を掛けて前記ジャンパ線を保持する、ことを特徴とする。
【００１３】
請求項４に記載の発明は、請求項２に記載のジャンパ線仮保管具を用いたジャンパ線仮保管方法であって、前記把持部で送電鉄塔の鉄塔部材を把持し、前記保持部に前記ジャンパ線の端子を掛けて前記ジャンパ線を保持する、ことを特徴とする。
【発明の効果】
【００１４】
請求項１、３の発明によれば、把持部で送電線を把持し、保持部にジャンパ線の端子を掛けるだけで、容易かつ迅速にジャンパ線を保持、仮保管することができる。また、このジャンパ線仮保管具を送電線に取り付ければよいため、送電鉄塔やジャンパ開閉装置の改修が不要で、低費用でジャンパ線を仮保管することができる。しかも、ジャンパ線の端子が送電線に隣接した状態でジャンパ線が仮保管されるため、ジャンパ線の端子が宙に浮いた状態にならず、安定性、安全性が高まる。
【００１５】
請求項２、４の発明によれば、把持部で鉄塔部材を把持し、保持部にジャンパ線の端子を掛けるだけで、容易かつ迅速にジャンパ線を保持、仮保管することができる。また、このジャンパ線仮保管具を鉄塔部材に取り付ければよいため、送電鉄塔やジャンパ開閉装置の改修が不要で、低費用でジャンパ線を仮保管することができる。しかも、ジャンパ線の端子が鉄塔部材に隣接した状態でジャンパ線が仮保管されるため、ジャンパ線の端子が宙に浮いた状態にならず、安定性、安全性が高まる。
【図面の簡単な説明】
【００１６】
【図１】この発明の実施の形態１に係るジャンパ線仮保管具の使用状態を示す正面図（ａ）と側面図（ｂ）である。
【図２】図１のジャンパ線仮保管具が適用されるジャンパ開閉装置を示す正面図ある。
【図３】図２のジャンパ開閉装置の第１の端子接続部を示す正面図（ａ）と側面図（ｂ）と、第２の端子接続部を示す正面図（ｃ）と側面図（ｄ）である。
【図４】図２のジャンパ開閉装置の第１の耐張クランプを示す正面図（ａ）と、第２の耐張クランプを示す正面図（ｂ）と、第３の耐張クランプを示す正面図（ｃ）である。
【図５】図１のジャンパ線仮保管具の正面図（ａ）と側面図（ｂ）と平面図（ｃ）である。
【図６】図１のジャンパ線仮保管具によってジャンパ線を仮保管した状態を示す正面図である。
【図７】この発明の実施の形態２に係るジャンパ線仮保管具の使用状態を示す正面図（ａ）と側面図（ｂ）である。
【図８】図７のジャンパ線仮保管具の正面図（ａ）と側面図（ｂ）と平面図（ｃ）である。
【図９】図８のジャンパ線仮保管具によってジャンパ線を仮保管した第１の状態・形態を示す正面図（ａ）と側面図（ｂ）である。
【図１０】図８のジャンパ線仮保管具によってジャンパ線を仮保管した第２の状態・形態を示す側面図である。
【発明を実施するための形態】
【００１７】
以下、この発明を図示の実施の形態に基づいて説明する。
【００１８】
（実施の形態１）
図１は、この実施の形態に係るジャンパ線仮保管具１の使用状態を示す正面図（ａ）と側面図（ｂ）である。このジャンパ線仮保管具１は、架空送電線路のジャンパ線１０１を仮保管するための器具・装置である。
【００１９】
ここで、ジャンパ線１０１は、図２に示すように、第１の碍子１０２を介して送電鉄塔の腕金材（鉄塔部材）１０３に引き留められた第１の送電線１０４と、第２の碍子１０５を介して腕金材１０３に引き留められた第２の送電線１０６と、を開閉自在に接続する電線である。このジャンパ線１０１は、第１の送電線１０４および第２の送電線１０６の耐張クランプ１０７と、端子接続部１０７ａで接続されている。
【００２０】
すなわち、図３に示すように、ジャンパ線１０１の端子２０１と耐張クランプ１０７の端子２１０とが、ボルト１１０、ナット１１１によって接離自在に接続されている。ここで、ジャンパ線１０１の端子２０１において、図示のように、ボルト１１０、ナット１１１を締結する締結部２０２には、複数の形状・形態が存在するが、ジャンパ線１０１を把持する圧縮部２０３の形状は、ほぼ同形状（六角柱状で、外径や長さは異なる）となっている。また、耐張クランプ１０７についても、図４に示すように、複数の形状・形態が存在するが、ジャンパ線１０１の端子２０１の圧縮部２０３の形状は、ほぼ同形状となっており、圧縮部２０３の外径・外形は、ジャンパ線１０１の外径よりも大きい。また、締結部２０２と圧縮部２０３との間の中間部２０４は、圧縮部２０３から締結部２０２に向かって広がる円錐台状に形成されている。
【００２１】
ジャンパ線仮保管具１は、金属製で、図５に示すように、主として、主体２と、２つの把持部材３とを備える。
【００２２】
主体２は、略門型（コ字状）で、底部２１には、一端縁から切り欠いたスリット状の挿入部２２と、この挿入部２２と連結して底部２１の中央部に位置する略円形の嵌合部２３と、が形成されている。また、挿入部２２の幅は、ジャンパ線１０１の外径よりも大きく、かつ、ジャンパ線１０１の端子２０１の圧縮部２０３の外径・外形よりも小さく設定されている。さらに、嵌合部２３の内径は、ジャンパ線１０１の端子２０１の圧縮部２０３の外径よりもやや大きく、かつ、中間部２０４の外径よりも小さく設定されている。
【００２３】
これにより、ジャンパ線１０１を挿入部２２から嵌合部２３側に挿入して、端子２０１を底部２１側に下げると、図１に示すように、端子２０１の圧縮部２０３が嵌合部２３に嵌合し、中間部２０４が嵌合部２３の周縁に当たって、ジャンパ線１０１の端子２０１が保持される。すなわち、底部２１の挿入部２２と嵌合部２３とで保持部が構成され、挿入部２２を通してジャンパ線１０１の端子２０１を嵌合部２３に掛ける（係合する）ことで、底部２１でジャンパ線１０１が保持されるようになっている。また、このように圧縮部２０３が嵌合部２３に嵌合した状態では、端子２０１を持ち上げてジャンパ線１０１を挿入部２２から引き出さないと、端子２０１の保持が解除されない。
【００２４】
一方、主体２の両側部２４の上面の両端部には、図５に示すように、上方に延びるボルト４１が溶接されている。また、側部２４の上面のボルト４１、４１間の中央部には、軸線が２つの側部２４間に延びる（挿入部２２に直交する方向に延びる）半円状の第１の凹部２５が形成されている。さらに、この第１の凹部２５の内周面には、パッキンが設けられ、後述するようにして、送電線１０４、１０６を把持・挟持できるように、第１の凹部２５の形状およびパッキンの厚みが設定されている。
【００２５】
把持部材３は、略直方体で、平面形状が主体２の両側部２４の平面形状とほぼ同形状となっている。この把持部材３の両端部には、上面から下面に貫通するボルト孔３１が形成され、下面のボルト孔３１、３１間の中央部には、軸線が把持部材３の短辺方向に延びる半円状の第２の凹部３２が形成されている。この第２の凹部３２の内周面には、パッキンが設けられ、後述するようにして、送電線１０４、１０６を把持・挟持できるように、第２の凹部３２の形状およびパッキンの厚みが設定されている。
【００２６】
そして、各ボルト孔３１にボルト４１を挿入し、主体２の第１の凹部２５と把持部材３の第２の凹部３２とで送電線１０４、１０６を挟んで、ボルト４１にナット４２を締め付けることで、送電線１０４、１０６を把持・挟持し、ナット４２を緩めて把持部材３を取り外すことで、送電線１０４、１０６の把持が解除されるようになっている。すなわち、主として、凹部２５、３２とボルト４１、ナット４２とで、把持部が構成されている。
【００２７】
また、各把持部材３には、図５（ｃ）に示すように、一方のボルト孔３１に連結する開放孔３３が形成されている。この開放孔３３は、ボルト孔３１から把持部材３の側縁に延びる切り欠き状で、このボルト孔３１に挿入されているボルト４１を出し入れできるように形成されている。これにより、このボルト４１のナット４２を緩めることで、他方のボルト４１を中心に、把持部材３を矢印Ｄ方向に回転でき、送電線１０４、１０６の把持、解除を容易、迅速に行えるものである。
【００２８】
さらに、上記のようにしてジャンパ線１０１を保持した状態で、ジャンパ線１０１の端子２０１が送電線１０４、１０６に隣接するように、上記の把持部と保持部とが設けられている。すなわち、図１に示すように、把持部を構成する凹部２５、３２から保持部を構成する嵌合部２３までの距離、つまり主体２の両側部２４の高さ・長さが、両側部２４間にジャンパ線１０１の端子２０１を挿入できる程度に短く設定されている。これにより、送電線１０４、１０６を把持して、ジャンパ線１０１の端子２０１を保持した状態で、端子２０１の締結部２０２が送電線１０４、１０６の直下に位置する（隣接する）ようになっている。
【００２９】
次に、このような構成のジャンパ線仮保管具１を用いたジャンパ線仮保管方法などについて説明する。ここで、両送電線１０４、１０６がともに充電中で、図６に示すように、ジャンパ線１０１を第１の送電線１０４側に仮保管する場合について説明する。
【００３０】
まず、ジャンパ線１０１の第２の送電線１０６側の端子２０１を耐張クランプ１０７から切り外す。次に、切り離したジャンパ線１０１の端子２０１が届く位置に、ジャンパ線仮保管具１を第１の送電線１０４に取り付ける。すなわち、上記のように、主体２の第１の凹部２５と把持部材３の第２の凹部３２とで第１の送電線１０４を挟んで、ボルト４１にナット４２を締め付けて、主体２の側部２４と把持部材３とで第１の送電線１０４を把持・挟持する。
【００３１】
続いて、切り離したジャンパ線１０１の端子２０１をジャンパ線仮保管具１の主体２の嵌合部２３に掛けて、ジャンパ線１０１を保持する。すなわち、上記のように、ジャンパ線１０１を挿入部２２から嵌合部２３側に挿入して、端子２０１の圧縮部２０３を嵌合部２３に嵌合させる。これにより、ジャンパ線１０１の端子２０１が第１の送電線１０４の直下に位置し、ジャンパ線１０１がリング状になって第１の送電線１０４側に保持・仮保管されるものである。
【００３２】
以上のように、このジャンパ線仮保管具１およびジャンパ線仮保管方法によれば、主体２と把持部材３とで第１の送電線１０４を把持し、嵌合部２３にジャンパ線１０１の端子２０１を掛けるだけで、容易かつ迅速、安全にジャンパ線１０１を保持、仮保管することができる。しかも、端子２０１の圧縮部２０３が嵌合部２３に嵌合した状態で、ジャンパ線１０１が保持されるため、安定してジャンパ線１０１を仮保管することができる。
【００３３】
また、ジャンパ線仮保管具１を第１の送電線１０４に取り付ければよいため、送電鉄塔やジャンパ開閉装置の改修が不要で、低費用でジャンパ線１０１を仮保管することができる。しかも、ジャンパ線１０１の端子２０１が第１の送電線１０４に隣接した状態で（第１の送電線１０４の直下で）ジャンパ線１０１が仮保管されるため、ジャンパ線１０１の端子２０１が宙に浮いた状態にならず、安定性、安全性が高まる。
【００３４】
そして、このようにして第１の送電線１０４上で（現地で）ジャンパ線１０１を仮保管できるため、送電鉄塔上でジャンパ線１０１を上げ下ろしする必要がなく、時間と労力とが大きく軽減されるとともに、緊急復旧時間を短縮することができる。
【００３５】
（実施の形態２）
図７は、この実施の形態に係るジャンパ線仮保管具１０の使用状態を示す正面図（ａ）と側面図（ｂ）である。この実施の形態では、ジャンパ線仮保管具１０を送電鉄塔の腕金材（鉄塔部材）１０３に取り付ける点で、実施の形態１と構成が異なり、同等の構成については同一符号を付することで、その説明を省略する。また、腕金材１０３は、断面がＬ字状のアングル材で構成されている。
【００３６】
ジャンパ線仮保管具１０は、金属製で、図８に示すように、主体５と、２つの蝶ネジ６とを備える。
【００３７】
主体５は、主体把持部７と主体保持部８とが一体的に形成されている。主体把持部７は、逆Ｕ字状で、第１の把持板部７１と第２の把持板部７２との隙間・距離は、腕金材１０３の垂直板部１０３ａの板厚よりもやや大きく設定されている。また、第１の把持板部７１には、水平方向に沿って２つのネジ孔７１ａが形成されている。
【００３８】
そして、図７に示すように、第１の把持板部７１と第２の把持板部７２との間に腕金材１０３の垂直板部１０３ａを挿入・装着し、各ネジ孔７１ａに蝶ネジ６を締め込むことで、腕金材１０３を把持し、蝶ネジ６を緩めて主体５を腕金材１０３から取り外すことで、腕金材１０３の把持が解除されるようになっている。すなわち、主体把持部７と蝶ネジ６とで把持部が構成されている。
【００３９】
主体保持部８は、略直方体で、第２の把持板部７２の下端部側に一体的に形成されている。この主体保持部８には、主体把持部７に対向する一端縁から切り欠いた嵌合部８１が形成されている。この嵌合部８１は、平面形状が六角形状で、一端縁の開口幅（切り欠き幅）は、ジャンパ線１０１の外径よりも大きく、嵌合部８１の内形状は、ジャンパ線１０１の端子２０１の圧縮部２０３の外形状よりもやや大きく、かつ、端子２０１の中間部２０４の外径よりも小さく設定されている。
【００４０】
これにより、ジャンパ線１０１を嵌合部８１の開口（切り欠き）から嵌合部８１内側に挿入して、端子２０１を主体保持部８側に下げると、図７に示すように、端子２０１の圧縮部２０３が嵌合部８１に嵌合し、中間部２０４が嵌合部８１の周縁に当たって、ジャンパ線１０１の端子２０１が保持される。すなわち、主体保持部８の嵌合部８１とその開口とで保持部が構成され、嵌合部８１の開口を通してジャンパ線１０１の端子２０１を嵌合部８１に掛ける（係合する）ことで、主体保持部８でジャンパ線１０１が保持されるようになっている。また、このように圧縮部２０３が嵌合部８１に嵌合した状態では、端子２０１を持ち上げてジャンパ線１０１を嵌合部８１の開口から引き出さないと、端子２０１の保持が解除されない。
【００４１】
さらに、このようにしてジャンパ線１０１を保持した状態で、ジャンパ線１０１の端子２０１が送電鉄塔の腕金材１０３に隣接するように、上記の把持部と保持部とが設けられている。すなわち、図７に示すように、把持部を構成する主体把持部７と保持部を構成する主体保持部８とが、密接し、かつ、ともに腕金材１０３の垂直板部１０３ａに当接するように形成されている。これにより、腕金材１０３を把持して、ジャンパ線１０１の端子２０１を保持した状態で、端子２０１が腕金材１０３の垂直板部１０３ａの真横に位置する（隣接する）ようになっている。
【００４２】
次に、このような構成のジャンパ線仮保管具１０を用いたジャンパ線仮保管方法などについて説明する。ここで、第１の送電線１０４が停電中で第２の送電線１０６が充電中で、図９に示すように、ジャンパ線１０１の一端部を腕金材１０３で保持して仮保管する場合について説明する。
【００４３】
まず、ジャンパ線１０１の第２の送電線１０６側の端子２０１を耐張クランプ１０７から切り外す。次に、切り離したジャンパ線１０１の端子２０１が届く位置に、ジャンパ線仮保管具１０を腕金材１０３に取り付ける。すなわち、上記のように、主体把持部７に腕金材１０３の垂直板部１０３ａを挿入して蝶ネジ６を締め込んで、腕金材１０３を把持する。
【００４４】
続いて、切り離したジャンパ線１０１の端子２０１をジャンパ線仮保管具１０の主体保持部８の嵌合部８１に掛けて、ジャンパ線１０１を保持する。すなわち、上記のように、ジャンパ線１０１を嵌合部８１の開口から嵌合部８１内側に挿入し、端子２０１の圧縮部２０３を嵌合部８１に嵌合させる。これにより、ジャンパ線１０１の端子２０１が腕金材１０３の垂直板部１０３ａの真横に位置し、ジャンパ線１０１がリング状になって腕金材１０３で保持・仮保管されるものである。
【００４５】
また、両送電線１０４、１０６がともに充電中で、図１０に示すように、ジャンパ線１０１の両端部を腕金材１０３で保持して仮保管する場合（下方の鉄塔部材と十分な離隔距離を要する場合）、２つのジャンパ線仮保管具１０を腕金材１０３に取り付ける。そして、ジャンパ線１０１の両端子２０１を耐張クランプ１０７から切り外し、両端子２０１をそれぞれジャンパ線仮保管具１０の主体保持部８の嵌合部８１に掛けて、ジャンパ線１０１を保持するものである。
【００４６】
以上のように、このジャンパ線仮保管具１０およびジャンパ線仮保管方法によれば、主体把持部７と蝶ネジ６とで腕金材１０３を把持し、嵌合部８１にジャンパ線１０１の端子２０１を掛けるだけで、容易かつ迅速、安全にジャンパ線１０１を保持、仮保管することができる。しかも、端子２０１の圧縮部２０３が嵌合部８１に嵌合した状態で、ジャンパ線１０１が保持されるため、安定してジャンパ線１０１を仮保管することができる。
【００４７】
また、ジャンパ線仮保管具１０を腕金材１０３に取り付ければよいため、送電鉄塔やジャンパ開閉装置の改修が不要で、低費用でジャンパ線１０１を仮保管することができる。しかも、ジャンパ線１０１の端子２０１が腕金材１０３に隣接した状態で（腕金材１０３の真横で）ジャンパ線１０１が仮保管されるため、ジャンパ線１０１の端子２０１が宙に浮いた状態にならず、安定性、安全性が高まる。
【００４８】
そして、このようにして腕金材１０３上で（現地で）ジャンパ線１０１を仮保管できるため、送電鉄塔上でジャンパ線１０１を上げ下ろしする必要がなく、時間と労力とが大きく軽減されるとともに、緊急復旧時間を短縮することができる。
【００４９】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態１では、ジャンパ線１０１の一方の端子２０１のみをジャンパ線仮保管具１で保持しているが、周囲環境や仮保管場所などに応じて、ジャンパ線１０１の両端子２０１を２つのジャンパ線仮保管具１で保持してもよい。この場合、例えば、送電鉄塔の腕金材１０３から離して、ジャンパ線１０１を仮保管することができる。
【００５０】
また、端子２０１の大きさが異なる複数種のジャンパ線１０１を、１つのジャンパ線仮保管具１、１０で保持できるようにしてもよい。すなわち、例えば、実施の形態２において、主体把持部７と主体保持部８とを着脱自在にし、嵌合部８１の大きさが異なる主体保持部８を複数製作して、端子２０１の大きさに応じた主体保持部８を主体把持部７に接続するようにしてもよい。また、実施の形態１において、主体２の底部２１の厚み方向に対して、嵌合部２３を階段状に形成し、内径が異なる複数の嵌合部（リング）を同軸上に備えるようにしてもよい。
【符号の説明】
【００５１】
１        ジャンパ線仮保管具
２        主体
２１      底部（保持部）
２２      挿入部（保持部）
２３      嵌合部（保持部）
２４      側部
２５      第１の凹部（把持部）
３        把持部材
３２      第２の凹部（把持部）
４１      ボルト（把持部）
４２      ナット（把持部）
１０      ジャンパ線仮保管具
５        主体
６        蝶ネジ（把持部）
７        主体把持部（把持部）
８        主体保持部
８１      嵌合部（保持部）
１０１    ジャンパ線
１０３    送電鉄塔の腕金材（鉄塔部材）
１０３ａ  垂直板部
１０４、１０６  送電線
２０１    端子
【図１】
2014222999.tif 000003
【図２】
2014222999.tif 000004
【図３】
2014222999.tif 000005
【図４】
2014222999.tif 000006
【図５】
2014222999.tif 000007
【図６】
2014222999.tif 000008
【図７】
2014222999.tif 000009
【図８】
2014222999.tif 000010
【図９】
2014222999.tif 000011
【図１０】
2014222999.tif 000012